(57)【要約】【課題】表示画像を容易に回転表示させ得る電子機器を提供する。【解決手段】画像データＤｐを記憶するＲＯＭ２２と、画像データＤｐに基づく確認画像を表示する表示部２４と、画像データＤｐを送信する通信部２６と、表示部２４に確認画像を表示させると共に確認画像に対応する画像データＤｐを通信部２６に対して画像表示装置２に向けて送信させる制御部２８と、ディジタルカメラ３が回転させられたときに表示部２４の画面と平行な面内におけるその回転方向および回転量を検出して回転検出信号Ｓ５を出力する回転検出部２７とを備え、制御部２８は、確認画像を表示させている状態において回転検出信号Ｓ５が出力されたときに、回転検出信号Ｓ５に基づく回転方向および回転量に対応させて表示画像を回転させる旨を指示する制御信号Ｓ３を通信部２６に対して画像表示装置２に向けて送信させる。【選択図】        図１
2004163816.tif 000002
【特許請求の範囲】
【請求項１】
画像データを記憶する電子機器側記憶部と、前記画像データに基づく確認画像を表示する電子機器側表示部と、前記画像データを外部装置に送信する電子機器側通信部と、前記電子機器側表示部に前記確認画像を表示させると共に当該表示させた確認画像に対応する前記画像データを前記電子機器側通信部に対して前記外部装置に向けて送信させる電子機器側制御部とを備えた電子機器であって、
当該電子機器が回転させられたときに前記電子機器側表示部の画面と平行な面内におけるその回転方向および回転量を検出して当該検出した回転方向および回転量を特定可能な検出信号を出力する回転検出部を備え、
前記電子機器側通信部は、送信した前記画像データに基づく表示画像の表示態様を指示する制御信号を前記外部装置に対して送信可能に構成され、
前記電子機器側制御部は、所定の前記画像データに基づく所定の前記確認画像を前記電子機器側表示部に表示させると共に当該所定の画像データを前記電子機器側通信部に対して前記外部装置に向けて送信させ、その後に前記所定の確認画像を表示させている状態において前記回転検出部によって前記検出信号が出力されたときに、当該検出信号に基づいて前記回転方向および前記回転量を特定すると共に、前記所定の画像データに基づく前記表示画像を前記特定した回転方向および回転量に対応させて回転させる旨の前記表示態様を指示する前記制御信号を前記電子機器側通信部に対して前記外部装置に向けて送信させる電子機器。
【請求項２】
撮像対象を撮像する撮像部を備えた撮像装置であって、前記電子機器側制御部は、前記撮像部によって撮像された前記画像データを前記電子機器側記憶部に記憶させる請求項１記載の電子機器。
【請求項３】
画像データを記憶する電子機器側記憶部と、前記画像データに基づく確認画像を表示する電子機器側表示部と、前記画像データに基づく表示画像を表示させるための表示用画像データを外部装置に送信する電子機器側通信部と、前記電子機器側表示部に前記確認画像を表示させると共に当該表示させた確認画像に対応する前記画像データに基づいて前記表示用画像データを生成して前記電子機器側通信部に対して前記外部装置に向けて送信させる電子機器側制御部とを備えた電子機器であって、
当該電子機器が回転させられたときに前記電子機器側表示部の画面と平行な面内におけるその回転方向および回転量を検出して当該検出した回転方向および回転量を特定可能な検出信号を出力する回転検出部を備え、
前記電子機器側制御部は、所定の前記画像データに基づく所定の前記確認画像を前記電子機器側表示部に表示させると共に当該所定の画像データに基づいて前記表示用画像データを生成して前記電子機器側通信部に対して前記外部装置に向けて送信させ、その後に前記所定の確認画像を表示させている状態において前記回転検出部によって前記検出信号が出力されたときに、当該検出信号に基づいて前記回転方向および前記回転量を特定すると共に、前記所定の画像データに対して前記特定した回転方向および回転量に応じた画像回転処理を実行して前記表示用画像データを生成し、当該生成した表示用画像データを前記電子機器側通信部に対して前記外部装置に向けて送信させる電子機器。
【請求項４】
撮像対象を撮像する撮像部を備えた撮像装置であって、前記電子機器側制御部は、前記撮像部によって撮像された前記画像データを前記電子機器側記憶部に記憶させる請求項３記載の電子機器。
【請求項５】
請求項１または２記載の電子機器によって送信された前記画像データを受信する制御装置側通信部と、当該制御装置側通信部によって受信された前記画像データを記憶する制御装置側記憶部と、前記電子機器によって送信された前記画像データに基づいて前記表示画像を表示させるための表示用画像データを生成して表示部に出力する表示制御部とを備えた表示制御装置であって、
前記制御装置側通信部は、前記電子機器によって送信された前記制御信号を受信可能に構成され、
前記表示制御部は、前記制御装置側通信部によって受信された前記画像データを前記制御装置側記憶部に記憶させると共に当該画像データに基づいて前記表示用画像データを生成して前記表示部に出力し、その後に当該出力した表示用画像データに対応する前記表示画像についての前記制御信号が前記電子機器によって送信されたときに、当該送信された制御信号に従って前記制御装置側記憶部に記憶されている前記画像データに対して画像回転処理を実行して前記表示用画像データを生成し、当該生成した表示用画像データを前記表示部に出力する表示制御装置。
【請求項６】
請求項５記載の表示制御装置と、前記表示部とを備えている画像表示装置。
【請求項７】
請求項１または２記載の電子機器と、請求項６記載の画像表示装置とを備えている画像表示システム。
【発明の詳細な説明】
【０００１】
【発明の属する技術分野】
本発明は、外部装置に画像データを送信可能に構成された電子機器、外部装置に表示用画像データを送信可能に構成された電子機器、電子機器によって送信された画像データに基づく表示画像を表示部に表示可能に構成された表示制御装置、その表示制御装置を備えた画像表示装置、および画像データを送信可能に構成された電子機器とその画像表示装置とを備えた画像表示システムに関するものである。
【０００２】
【従来の技術】
例えばディジタルカメラなどの電子機器は、撮像（生成）した画像データ（ディジタルデータ）に基づいてＮＴＳＣ（Ｎａｔｉｏｎａｌ  ＴＶ  Ｓｔａｎｄａｒｄｓ  Ｃｏｍｍｉｔｔｅｅ  ）信号などの画像信号を生成して出力することにより、テレビやプロジェクタ等の画像表示装置に対して画像データに基づく表示画像を表示可能な機能を有している（一例として、出願人が特開２００２−１０１１３号公報に開示したデジタルスチルカメラ１）。今日では、この機能を生かして家庭における映画観賞や、プレゼンテーションなどでこの種の電子機器が盛んに利用されている。一方、撮像機能を備えた一般的な電子機器では、横長画像として撮像する。このため、例えば縦長の被写体（撮像対象）を撮像する際には、通常、電子機器を９０度回転させて撮像する。しかし、この撮像した画像データに基づく表示画像を画像表示装置に表示させた際には、電子機器が画像データに基づく横長の表示画像を表示させるための画像信号をそのまま画像表示装置に出力するため、被写体が横倒し状態（つまり被写体が９０度回転した状態）の表示画像が表示されるという不都合がある。この解決手段として、出願人の開示した電子機器（デジタルスチルカメラ１）は、画像データに対して画像処理を行うことによって表示画像を９０度回転して（被写体を直立させて）表示させる機能を有している。したがって、この電子機器では、操作ボタンの操作によって横倒し状態の表示画像を直立させた見易い状態で表示させることが可能になっている。
【０００３】
【特許文献１】
特開２００２−１０１１３号公報（第５頁）
【０００４】
【発明が解決しようとする課題】
ところが、出願人が開示した電子機器には、以下の改善すべき点がある。すなわち、この電子機器では、横倒し状態で撮像した画像を直立させて表示する際に、操作部の操作ボタンを操作する必要がある。したがって、例えば、電子機器を９０度回転させて撮像した表示画像と、回転させずに撮像した表示画像とを繰り返して切替え表示させるときには、その都度、操作ボタンを操作する必要がある。加えて、例えば、電子機器を右回り（時計回りに）に９０度回転させて撮像した表示画像と、左回り（反時計回りに）に９０度回転させて撮像した表示画像とを連続して切替え表示させるときには、回転させる方向を考慮しつつ操作ボタンを操作する必要がある。したがって、操作が煩雑であり、これを解決するのが好ましい。
【０００５】
本発明は、かかる改善すべき点に鑑みてなされたものであり、表示部に表示させている表示画像を容易に回転表示させ得る電子機器、表示制御装置、画像表示装置および画像表示システムを提供することを主目的とする。
【０００６】
【課題を解決するための手段】
上記目的を達成すべく本発明に係る電子機器は、画像データを記憶する電子機器側記憶部と、前記画像データに基づく確認画像を表示する電子機器側表示部と、前記画像データを外部装置に送信する電子機器側通信部と、前記電子機器側表示部に前記確認画像を表示させると共に当該表示させた確認画像に対応する前記画像データを前記電子機器側通信部に対して前記外部装置に向けて送信させる電子機器側制御部とを備えた電子機器であって、当該電子機器が回転させられたときに前記電子機器側表示部の画面と平行な面内におけるその回転方向および回転量を検出して当該検出した回転方向および回転量を特定可能な検出信号を出力する回転検出部を備え、前記電子機器側通信部は、送信した前記画像データに基づく表示画像の表示態様を指示する制御信号を前記外部装置に対して送信可能に構成され、前記電子機器側制御部は、所定の前記画像データに基づく所定の前記確認画像を前記電子機器側表示部に表示させると共に当該所定の画像データを前記電子機器側通信部に対して前記外部装置に向けて送信させ、その後に前記所定の確認画像を表示させている状態において前記回転検出部によって前記検出信号が出力されたときに、当該検出信号に基づいて前記回転方向および前記回転量を特定すると共に、前記所定の画像データに基づく前記表示画像を前記特定した回転方向および回転量に対応させて回転させる旨の前記表示態様を指示する前記制御信号を前記電子機器側通信部に対して前記外部装置に向けて送信させる。
【０００７】
また、本発明に係る電子機器は、上記の電子機器において、撮像対象を撮像する撮像部を備えた撮像装置であって、前記電子機器側制御部は、前記撮像部によって撮像された前記画像データを前記電子機器側記憶部に記憶させる。
【０００８】
また、本発明に係る電子機器は、画像データを記憶する電子機器側記憶部と、前記画像データに基づく確認画像を表示する電子機器側表示部と、前記画像データに基づく表示画像を表示させるための表示用画像データを外部装置に送信する電子機器側通信部と、前記電子機器側表示部に前記確認画像を表示させると共に当該表示させた確認画像に対応する前記画像データに基づいて前記表示用画像データを生成して前記電子機器側通信部に対して前記外部装置に向けて送信させる電子機器側制御部とを備えた電子機器であって、当該電子機器が回転させられたときに前記電子機器側表示部の画面と平行な面内におけるその回転方向および回転量を検出して当該検出した回転方向および回転量を特定可能な検出信号を出力する回転検出部を備え、前記電子機器側制御部は、所定の前記画像データに基づく所定の前記確認画像を前記電子機器側表示部に表示させると共に当該所定の画像データに基づいて前記表示用画像データを生成して前記電子機器側通信部に対して前記外部装置に向けて送信させ、その後に前記所定の確認画像を表示させている状態において前記回転検出部によって前記検出信号が出力されたときに、当該検出信号に基づいて前記回転方向および前記回転量を特定すると共に、前記所定の画像データに対して前記特定した回転方向および回転量に応じた画像回転処理を実行して前記表示用画像データを生成し、当該生成した表示用画像データを前記電子機器側通信部に対して前記外部装置に向けて送信させる。
【０００９】
さらに、本発明に係る電子機器は、上記の電子機器において、撮像対象を撮像する撮像部を備えた撮像装置であって、前記電子機器側制御部は、前記撮像部によって撮像された前記画像データを前記電子機器側記憶部に記憶させる。
【００１０】
また、本発明に係る表示制御装置は、上記の電子機器によって送信された前記画像データを受信する制御装置側通信部と、当該制御装置側通信部によって受信された前記画像データを記憶する制御装置側記憶部と、前記電子機器によって送信された前記画像データに基づいて前記表示画像を表示させるための表示用画像データを生成して表示部に出力する表示制御部とを備えた表示制御装置であって、前記制御装置側通信部は、前記電子機器によって送信された前記制御信号を受信可能に構成され、前記表示制御部は、前記制御装置側通信部によって受信された前記画像データを前記制御装置側記憶部に記憶させると共に当該画像データに基づいて前記表示用画像データを生成して前記表示部に出力し、その後に当該出力した表示用画像データに対応する前記表示画像についての前記制御信号が前記電子機器によって送信されたときに、当該送信された制御信号に従って前記制御装置側記憶部に記憶されている前記画像データに対して画像回転処理を実行して前記表示用画像データを生成し、当該生成した表示用画像データを前記表示部に出力する。
【００１１】
また、本発明に係る画像表示装置は、上記の表示制御装置と、前記表示部とを備えている。
【００１２】
また、本発明に係る画像表示システムは、上記の電子機器と、上記の画像表示装置とを備えている。
【００１３】
【発明の実施の形態】
以下、添付図面を参照して、本発明に係る画像表示システムの好適な実施の形態について説明する。
【００１４】
最初に、画像表示システム１の構成について、図面を参照して説明する。
【００１５】
画像表示システム１は、図１に示すように、画像表示装置２およびディジタルカメラ３を備えて構成されている。画像表示装置２は、本発明における表示制御装置と表示部とで構成され、通信部（制御装置側通信部）１１、ＲＡＭ１２、ＲＯＭ１３、表示部１４、操作部１５および表示制御部１６を備えて構成されている。この場合、通信部１１、ＲＡＭ１２、ＲＯＭ１３、表示部１４および表示制御部１６は、図２に示す画像表示装置本体２ａに収納されている。通信部１１は、例えば、ＵＳＢインターフェース、ＩＥＥＥ１３９４インターフェースおよびＩｒＤＡインターフェースなどのディジタルデータ（ディジタル信号）を送受信可能なディジタルインターフェースを備えて構成されている。この場合、通信部１１は、これらのディジタルインターフェースのうちのいずれかを介してディジタルカメラ３によって送信された画像データＤｐおよび制御信号Ｓ３を受信して表示制御部１６に出力する。また、通信部１１は、表示制御部１６によって出力されたデータ送信要求信号Ｓ１をディジタルカメラ３に送信する。さらに、通信部１１は、赤外線受光素子を備え、操作部１５によって出力された赤外線操作信号Ｓ２を受信して表示制御部１６に出力する。ＲＡＭ１２は、本発明における制御装置側記憶部に相当し、通信部１１によって受信されて表示制御部１６によって転送された画像データＤｐを記憶する。ＲＯＭ１３は、表示制御部１６による画像処理用のプログラムなどのプログラムを記憶する。表示部１４は、例えばＬＣＤ（Ｌｉｑｕｉｄ  Ｃｒｙｓｔａｌ  Ｄｉｓｐｌａｙ）を備えて構成され、表示制御部１６の制御下で例えば図２に示す表示画像Ｇｄ１（以下、画像の内容を区別しないときには、単に「表示画像Ｇｄ」ともいう）を表示する。
【００１６】
操作部１５は、いわゆるリモートコントローラであって、図２に示すように、画像表示装置本体２ａとは別体に形成されると共に画像表示装置本体２ａに脱着可能に構成されている。また、操作部１５は、図２に示すように、表示画像Ｇｄを拡大して表示させるための拡大ボタンＢ１、表示画像Ｇｄを縮小して表示させるための縮小ボタンＢ２、表示画像Ｇｄをマニュアル操作で回転して表示させるための回転ボタンＢ３、およびディジタルカメラ３に対して画像データＤｐの送信を要求するための画像データ送信要求ボタンＢ４（同図に示す「前」および「次」の文字が付された一対のボタン）などの各種操作ボタンが配設されて構成されている。この場合、操作部１５は、各操作ボタンが操作された際に、赤外線操作信号Ｓ２を出力する。表示制御部１６は、画像表示装置２を統括的に制御すると共に、通信部１１によって受信された画像データＤｐをＲＡＭ１２に転送して記憶させる。また、表示制御部１６は、通信部１１によって受信された制御信号Ｓ３に従って画像データＤｐに対して画像処理を実行することにより、表示部１４の表示エリアに応じたサイズの表示画像Ｇｄを表示させるための表示用画像データＤｄを生成して表示部１４に出力する。この場合、表示制御部１６は、「拡大」、「縮小」および「回転」などの指示が制御信号Ｓ３に含まれているときには、画像データＤｐに対して画像拡大処理、画像縮小処理および画像回転処理などの画像処理を瞬時に実行して、画像データＤｐに基づく表示画像Ｇｄの表示態様を変化させた表示画像Ｇｄ（例えば、図４に示す表示画像Ｇｄ３）を表示部１４に表示させる。また、表示制御部１６は、操作部１５の画像データ送信要求ボタンＢ４が操作されたときに、通信部１１に対してデータ送信要求信号Ｓ１をディジタルカメラ３に向けて送信させる。
【００１７】
一方、ディジタルカメラ３は、本発明における電子機器に相当し、図１に示すように、撮像部２１、ＲＯＭ２２，２３、表示部（電子機器側表示部）２４、操作部２５、通信部（電子機器側通信部）２６、回転検出部２７および制御部２８を備えて構成されている。撮像部２１は、被写体（撮像対象）の光学画像を集光する撮像用レンズ、集光された光学画像を電気信号に変換する例えばＣＣＤ（Ｃｈａｒｇｅ  Ｃｏｕｐｌｅｄ  Ｄｅｖｉｃｅ）などの光電変換素子、および電気信号をアナログ−ディジタル変換して画像データＤｐを出力するＡ／Ｄ変換回路などを備えて構成されている。ＲＯＭ２２は、本発明における電子機器側記憶部に相当し、ＥＰＲＯＭ等の不揮発性メモリで構成され、撮像部２１によって出力されて表示制御部１６によって転送された画像データＤｐを記憶する。この場合、ディジタルカメラ３の本体とは別体で、かつ本体に脱着可能なＲＯＭ２２を採用することもできる。ＲＯＭ２３は制御部２８の制御プログラムを記憶する。
【００１８】
表示部２４は、例えば、ＬＣＤを備えて構成され、図２に示す確認画像Ｇｉ１（以下、画像の内容を区別しないときには、単に「確認画像Ｇｉ」ともいう）を表示する。操作部２５は、同図に示すように、シャッターボタン、拡大ボタンＢ１１および縮小ボタンＢ１２などの各種撮像用の操作ボタンや、表示画像Ｇｄをマニュアル操作で回転して表示させるための回転ボタンＢ１３、表示部２４に表示させる確認画像Ｇｉを選択するための画像選択ボタンＢ１４、および画像データＤｐを画像表示装置２に送信させるための送信ボタンＢ１５などの各種操作ボタンが配設されて構成されている。この場合、拡大ボタンＢ１１は、撮像された画像を表示する際に、表示画像Ｇｄを拡大して表示させるためのボタンとしても機能し、縮小ボタンＢ１２は、表示画像Ｇｄを縮小して表示させるためのボタンとしても機能する。また、操作部２５は、各操作ボタンが操作された際に、操作信号Ｓ４を出力する。通信部２６は、ＵＳＢインターフェース、ＩＥＥＥ１３９４インターフェースおよびＩｒＤＡインターフェースなどのディジタルインターフェースを備えて構成され、制御部２８の制御下で画像データＤｐや制御信号Ｓ３を画像表示装置２に送信する。また、通信部２６は、画像表示装置２によって送信されたデータ送信要求信号Ｓ１を受信して制御部２８に出力する。
【００１９】
回転検出部２７は、加速度センサ、地磁気センサおよびジャイロなどを備え、ディジタルカメラ３が回転させられたときに、表示部２４（ＬＣＤ）の画面と平行な面内におけるその回転方向および回転量を検出可能に構成されている。この場合、回転検出部２７は、ディジタルカメラ３が画像再生モードのときに、所定時間（例えば０．１秒）刻みに回転方向および回転量を検出し、回転量が所定のしきい値（例えば１０度）を超えたときには検出した回転方向および回転量を特定可能な回転検出信号（検出信号）Ｓ５を制御部２８に出力する。制御部２８は、本発明における電子機器側制御部に相当し、ディジタルカメラ３を統括的に制御すると共に、操作部２５によって出力された操作信号Ｓ４、および画像表示装置２によって送信されたデータ送信要求信号Ｓ１に従い、通信部２６に対して画像データＤｐを画像表示装置２に向けて送信させる。また、制御部２８は、通信部１１に対して、画像処理を実行させるための制御信号Ｓ３を画像表示装置２に向けて送信させる。この場合、制御部２８は、操作部２５の拡大ボタンＢ１１が操作されたときには、表示画像Ｇｄを拡大させる指示を制御信号Ｓ３に含ませ、縮小ボタンＢ１２が操作されたときには、表示画像Ｇｄを縮小させる指示を制御信号Ｓ３に含ませる。また、制御部２８は、回転検出部２７によって回転検出信号Ｓ５が出力されたときには、その回転検出信号Ｓ５に基づいてディジタルカメラ３の回転方向および回転量を特定すると共に、特定した回転方向に特定した回転量だけ表示画像Ｇｄを回転させる旨の指示を制御信号Ｓ３に含ませる。
【００２０】
次に、画像表示システム１の全体的な動作について、図面を参照して説明する。
【００２１】
まず、ディジタルカメラ３を撮像モードに切り替えて被写体を撮像する。この際に、撮像部２１が被写体の光学画像を画像データＤｐに変換して出力し、制御部２８が画像データＤｐをＲＯＭ２２に記憶させる。一方、撮像した被写体の確認画像Ｇｉ（例えば図２に示す確認画像Ｇｉ１）をディジタルカメラ３の表示部２４に表示させると共に、確認画像Ｇｉ１に対応する表示画像Ｇｄ（例えば図２に示す表示画像Ｇｄ１）を画像表示装置２の表示部１４に表示させる際には、例えば、ディジタルカメラ３の通信部２６、および画像表示装置２の通信部１１にそれぞれ配設されているＩＥＥＥ１３９４インターフェースの各接続端子同士を図２に示す通信ケーブル４によって接続する。この場合、ＩＥＥＥ１３９４インターフェースに代えてＵＳＢインターフェースまたはＩｒＤＡインターフェースを使用することもできる。次いで、ディジタルカメラ３を画像再生モードに切り替える。この際に、回転検出部２７が、ディジタルカメラ３の回転方向および回転量を０．１秒刻みに検出する。この場合、回転検出部２７は、回転量が１０度を超えたときには回転検出信号Ｓ５を出力し、回転量が１０度以下のときには回転検出信号Ｓ５の出力を停止する。次いで、制御部２８は、図２に示すように、画像データＤｐに基づく確認画像Ｇｉ１を表示部２４に表示させる。ここで、複数の画像データＤｐがＲＯＭ２２に記憶されているときには、制御部２８は、操作部２５の画像選択ボタンＢ１４が操作される毎にＲＯＭ２２から画像データＤｐを読み込んで、読み込んだ画像データＤｐに対応する確認画像Ｇｉを表示部２４に切替表示させる。
【００２２】
続いて、操作部２５の送信ボタンＢ１５を操作する。これに応じて、操作部２５が操作信号Ｓ４を出力し、制御部２８が操作信号Ｓ４に従って通信部２６に対して確認画像Ｇｉ１に対応する画像データＤｐを画像表示装置２に向けて送信させる。次に、画像表示装置２の通信部１１が、ディジタルカメラ３によって送信された画像データＤｐを受信する。次いで、表示制御部１６が、通信部１１によって受信された画像データＤｐをＲＡＭ１２に記憶させる。続いて、表示制御部１６は、画像データＤｐに対して画像処理を実行することによって表示用画像データＤｄを生成して表示部１４に出力する。次に、表示部１４が、表示用画像データＤｄに基づく表示画像Ｇｄ１を表示する。これにより、図２に示すように、高画質の表示画像Ｇｄ１が表示部１４に表示される。
【００２３】
次いで、表示部１４に表示されている表示画像Ｇｄ１の中央部を拡大させて表示させる際には、ディジタルカメラ３における操作部２５の拡大ボタンＢ１１を操作する。この際に、操作部２５は、操作信号Ｓ４を出力する。続いて、制御部２８は、操作信号Ｓ４の出力に応じて、通信部２６に対して制御信号Ｓ３を画像表示装置２に送信させる。この場合、制御信号Ｓ３には、表示画像Ｇｄ１を拡大して表示させる旨の指示が含まれている。次に、画像表示装置２の通信部１１が送信された制御信号Ｓ３を受信する。ここで、制御信号Ｓ３のデータサイズが小さいため、制御信号Ｓ３の送受信が瞬時に完了する。次いで、表示制御部１６が、通信部１１によって受信された制御信号Ｓ３に従い、ＲＡＭ１２に記憶されている画像データＤｐ（確認画像Ｇｉ１に対応する画像データＤｐ）を読み込むと共に、読み込んだ画像データＤｐに対して画像処理（拡大処理）を実行して表示画像Ｇｄ１の中央部を拡大させた表示画像Ｇｄを表示させるための表示用画像データＤｄを生成して表示部１４に出力する。これにより、表示部１４が、表示画像Ｇｄ１の中央部を拡大した高画質の表示画像Ｇｄを表示する。この場合、制御信号Ｓ３の送受信が瞬時に完了しているため、ディジタルカメラ３における拡大ボタンＢ１１の操作時点から極めて短時間で拡大した表示画像Ｇｄが表示される。
【００２４】
続いて、拡大した表示画像Ｇｄを縮小した表示画像Ｇｄ（つまり、図２に示す表示画像Ｇｄ１）を表示させる際には、ディジタルカメラ３における操作部２５の縮小ボタンＢ１２を操作する。この際に、制御部２８は、操作部２５から出力される操作信号Ｓ４に応じて、通信部２６に対して制御信号Ｓ３を画像表示装置２に向けて送信させる。この場合、制御信号Ｓ３には、拡大した表示画像Ｇｄを縮小して表示させる旨の指示が含まれている。次いで、画像表示装置２の表示制御部１６は、制御信号Ｓ３に従い、ＲＡＭ１２に記憶されている画像データＤｐを読み込むと共に、読み込んだ画像データＤｐに対して画像処理（縮小処理）を実行することによって表示画像Ｇｄ１を表示させるための表示用画像データＤｄを生成して表示部１４に出力する。次いで、表示部１４が、表示用画像データＤｄに基づく表示画像Ｇｄ１を表示する。ここで、上記した画像処理（拡大処理、縮小処理および後述する回転処理など）が瞬時に（高速で）実行されるため、表示用画像データＤｄの生成および出力が瞬時に行われる。また、上記したように、制御信号Ｓ３の送受信は瞬時に完了する。したがって、このような拡大、縮小、および後述する回転の操作を頻繁に繰り返したとしても、拡大または縮小された各表示画像Ｇｄが各操作時点から瞬時に表示されるため、表示画像Ｇｄについての表示態様を円滑に表示切替しつつ高画質の表示画像Ｇｄを表示することができる。
【００２５】
次に、確認画像Ｇｉ１に代えて他の確認画像Ｇｉをディジタルカメラ３の表示部２４に表示させる際には、操作部２５の画像選択ボタンＢ１４を操作する。この際に、図３に示すように、ディジタルカメラ３を左回りに９０度回転した状態で撮像された画像データＤｐに対応する確認画像Ｇｉ２が選択されたときには、被写体が横倒し状態の（被写体が右回りに９０度回転した状態の）確認画像Ｇｉ２が表示部２４に表示される。次いで、確認画像Ｇｉ２に対応する表示画像Ｇｄを画像表示装置２の表示部１４に表示させる際には、送信ボタンＢ１５を操作する。この際に、制御部２８は、操作部２５から出力された操作信号Ｓ４に応じて、ＲＯＭ２２から確認画像Ｇｉ２に対応する画像データＤｐを読み込むと共に、通信部２６に対して読み込んだ画像データＤｐを画像表示装置２に向けて送信させる。この場合、ディジタルカメラ３の操作部２５における画像選択ボタンＢ１４および送信ボタンＢ１５の操作に代えて、画像表示装置２の操作部１５における画像データ送信要求ボタンＢ４の操作によって確認画像Ｇｉ２に対応する画像データＤｐを送信させることもできる。この際には、操作部１５が画像データ送信要求ボタンＢ４の操作に応じて赤外線操作信号Ｓ２を出力し、表示制御部１６が赤外線操作信号Ｓ２に応じて通信部１１に対してデータ送信要求信号Ｓ１をディジタルカメラ３に向けて送信させる。一方、ディジタルカメラ３の制御部２８は、通信部２６によって受信されたデータ送信要求信号Ｓ１に応じて、ＲＯＭ２２から確認画像Ｇｉ２に対応する画像データＤｐを読み込むと共に通信部２６に対して読み込んだ画像データＤｐを画像表示装置２に向けて送信させる。
【００２６】
続いて、画像表示装置２の表示制御部１６は、通信部１１によって受信された画像データＤｐをＲＡＭ１２に記憶させる。次に、表示制御部１６は、画像データＤｐに対して画像処理を実行することによって表示用画像データＤｄを生成して表示部１４に出力する。これにより、図３に示すように、高画質の表示画像Ｇｄ２が表示部１４に表示される。この場合、確認画像Ｇｉ２に対応する画像データＤｐがディジタルカメラ３を左回りに９０度回転した状態で撮像された画像データＤｐのため、表示部１４には、被写体が横倒し状態の表示画像Ｇｄ２が表示されている。
【００２７】
一方、横倒し状態で表示されている表示画像Ｇｄ２を直立させた状態で表示させる際には、図４に示すように、ディジタルカメラ３を左回りに約９０度（または右回りに約２７０度）回転させる。この際に、ディジタルカメラ３の回転量が１０度を超えたときには、回転検出部２７が、検出したディジタルカメラ３の回転方向と回転量とを特定可能な回転検出信号Ｓ５を出力する。この場合、例えば、回転検出部２７は回転量が１０度を超えて変化する毎に回転検出信号Ｓ５を出力する。次いで、制御部２８は、出力された回転検出信号Ｓ５に基づいてディジタルカメラ３の回転方向および回転量を特定すると共に、通信部２６に対して、特定した回転方向に特定した回転量で表示画像Ｇｄを回転させる旨の指示を含ませた制御信号Ｓ３を画像表示装置２に向けて送信させる。
【００２８】
続いて、画像表示装置２の通信部１１が制御信号Ｓ３を受信する。この場合、制御信号Ｓ３のデータサイズが小さいため、制御信号Ｓ３の送受信が瞬時に完了する。次に、表示制御部１６は、受信した制御信号Ｓ３に従い、ＲＡＭ１２に記憶されている確認画像Ｇｉ２（つまり表示画像Ｇｄ２）に対応する画像データＤｐを読み込む。次いで、表示制御部１６は、読み込んだ画像データＤｐに対して画像処理（回転処理）を実行することにより、ディジタルカメラ３の回転と同じ回転方向に同じ回転量で表示画像Ｇｄ２を回転させた表示画像Ｇｄを表示させるための表示用画像データＤｄを生成して表示部１４に出力する。以後、ディジタルカメラ３の制御部２８および表示制御部１６は、回転検出部２７によって回転検出信号Ｓ５が出力される毎に同様の処理を実行する。これにより、ディジタルカメラ３を回転させるだけの簡易な操作でディジタルカメラ３の回転と同じ回転方向に同じ回転量で表示画像Ｇｄ２を回転させた表示画像Ｇｄが表示部１４に表示され、最終的に、ディジタルカメラ３を９０度左方向に回転させたときには、図４に示すように、被写体が直立した表示画像Ｇｄ３が表示部１４に表示される。
【００２９】
次に、図５に示すように、ディジタルカメラ３を右回りに９０度回転した状態で撮像した確認画像Ｇｉ３を表示部２４に表示させ、確認画像Ｇｉ３に対応する表示画像Ｇｄを画像表示装置２に表示させる際には、確認画像Ｇｉ３を表示させた後に送信ボタンＢ１５を操作する。これに応じて、制御部２８が、操作部２５から出力された操作信号Ｓ４に応じて、ＲＯＭ２２から確認画像Ｇｉ３に対応する画像データＤｐを読み込むと共に、通信部２６に対して、読み込んだ画像データＤｐを画像表示装置２に向けて送信させる。次いで、画像表示装置２の表示制御部１６は、通信部１１によって受信された画像データＤｐをＲＡＭ１２に記憶させると共に、画像データＤｐに対して画像処理を実行することによって表示用画像データＤｄを生成して表示部１４に出力する。これにより、図５に示すように、高画質の表示画像Ｇｄ４が表示部１４に表示される。この場合、確認画像Ｇｉ３に対応する画像データＤｐがディジタルカメラ３を右回りに９０度回転した状態で撮像された画像データＤｐのため、表示画像Ｇｄ４は被写体が横倒し状態で表示されている。続いて、表示画像Ｇｄ４を直立させて表示させる際には、ディジタルカメラ３を右回りに約９０度（または左回りに約２７０度）回転させる。この際に、回転検出部２７が回転検出信号Ｓ５を出力し、制御部２８が回転検出信号Ｓ５の出力毎に回転方向および回転量を特定して特定した回転方向に特定した回転量で表示画像Ｇｄ４を回転させる旨の指示を含ませた制御信号Ｓ３を通信部２６に対して画像表示装置２に向けて送信させる。
【００３０】
これに応じて、画像表示装置２の表示制御部１６は、制御信号Ｓ３の受信毎に、確認画像Ｇｉ３に対応する画像データＤｐに対して画像処理（回転処理）を実行することにより、ディジタルカメラ３の回転と同じ回転方向に同じ回転量で表示画像Ｇｄ４を回転させた表示画像Ｇｄを表示させるための表示用画像データＤｄを生成して表示部１４に出力する。これにより、ディジタルカメラ３の回転と同じ回転方向に同じ回転量で表示画像Ｇｄ４を回転させた表示画像Ｇｄが表示部１４に表示され、最終的に、ディジタルカメラ３を右方向に９０度回転させたときには、図６に示すように、被写体が直立した表示画像Ｇｄ５が表示部１４に表示される。この場合、表示部２４に表示された確認画像Ｇｉにおける横倒し状態の被写体を直立させる方向にディジタルカメラ３を回転させるだけの容易な操作のため、ディジタルカメラ３を右回りに９０度回転させて撮像した表示画像Ｇｄと、左回りに９０度回転させて撮像した表示画像Ｇｄとを頻繁に切替表示するときであっても、ユーザーに対して操作の煩雑さを感じさせることなく表示画像Ｇｄを回転表示させることができる。一方、画像処理が高速に処理されるため、頻繁に回転操作を行う際にも表示画像Ｇｄが円滑に回転表示される。
【００３１】
このように、この画像表示システム１によれば、ディジタルカメラ３の制御部２８が、回転検出部２７によって出力された回転検出信号Ｓ５に基づいてディジタルカメラ３の回転方向および回転量を特定し、特定した回転方向および回転量に対応させて表示画像Ｇｄを回転させて表示させる旨の表示態様を指示する制御信号Ｓ３を通信部２６に対して画像表示装置２に向けて送信させ、画像表示装置２の表示制御部１６が、送信された制御信号Ｓ３に従ってＲＡＭ１２に記憶されている画像データＤｐに対して画像回転処理を実行して表示用画像データＤｄを表示部１４に出力することにより、ディジタルカメラ３を回転させるだけの容易な操作で表示画像Ｇｄを任意の方向に回転表示させることができる。
【００３２】
なお、本発明は、上記した本発明の実施の形態に限定されない。例えば、上記した実施の形態では、画像表示装置２がディジタルカメラ３によって送信された画像データＤｐに対して画像処理を実行することによって表示用画像データＤｄを生成する構成について説明したが、ディジタルカメラ３が表示用画像データＤｄを生成して、生成した表示用画像データＤｄを画像表示装置２に向けて送信する構成を採用することもできる。この構成では、例えば、回転検出部２７によって回転検出信号Ｓ５が出力されたときに、制御部２８が、回転検出信号Ｓ５に基づいて画像データＤｐに対してディジタルカメラ３の回転方向および回転量に対応する画像処理（回転処理）を実行して、回転後の表示画像Ｇｄを表示させるための表示用画像データＤｄを生成する。また、画像表示装置２が、送信された表示用画像データＤｄに基づいて回転後の表示画像Ｇｄを表示する。この構成によれば、ディジタルカメラ３の制御部２８が画像処理を実行するため、ディジタルカメラ３を回転させるだけの容易な操作で画像処理機能を有しない画像表示装置に対しても表示画像Ｇｄを回転表示させることができる。この場合、表示用画像データＤｄとしてＮＴＳＣ信号などのビデオ信号を生成して送信させることもでき、この際にも同様の効果を得ることができる。
【００３３】
また、上記した実施の形態では、本発明に係る電子機器をディジタルカメラ３に適用した例について説明したが、本発明に係る電子機器は、ディジタルカメラに限定されず、ディジタルビデオカメラやＰＤＡ（Ｐｅｒｓｏｎａｌ  Ｄｉｇｉｔａｌ  Ａｓｓｉｓｔａｎｔ）などの各種電子機器に適用が可能である。また、上記した実施の形態では、撮像した画像データＤｐに基づく表示画像Ｇｄを画像表示装置２に表示させる例について説明したが、表示させる表示画像Ｇｄは、これに限定されない。例えば、他の電子機器から転送してＲＯＭ２２に記憶させた画像データＤｐであってもよい。また、他の電子機器やパソコンなどによって画像データＤｐを例えば携帯可能なカード型のＲＯＭ２２に予め記憶させ、ディジタルカメラ３の本体や、撮像機能を備えていない電子機器にそのＲＯＭ２２を装着して、記憶させた画像データＤｐに基づく表示画像Ｇｄを画像表示装置２に表示させることもできる。
【００３４】
さらに、上記した実施の形態では、ＬＣＤを備えた表示部１４を例に挙げて説明したが、表示部１４の構成はこれに限定されず、ＣＲＴ（Ｃａｔｈｏｄｅ  Ｒａｙ  Ｔｕｂｅ）やプラズマディスプレイなどを備えて構成することができる。また、表示部１４を画像表示装置本体２ａとは別体に構成することもできる。さらに、操作部１５を画像表示装置本体２ａと一体化して構成することもできる。また、本発明に係る画像表示装置をプロジェクタ装置に適用することもできる。
【００３５】
【発明の効果】
以上のように、本発明に係る電子機器、表示制御装置、画像表示装置および画像表示システムによれば、電子機器の電子機器側制御部が回転検出部によって出力された検出信号に基づいて電子機器の回転方向および回転量を特定すると共に特定した回転方向および回転量に対応させて表示画像を回転させて表示させる旨の表示態様を指示する制御信号を電子機器側通信部に対して画像表示装置に向けて送信させ、画像表示装置の制御装置側通信部が電子機器によって送信された制御信号に従って制御装置側記憶部に記憶されている画像データに対して画像回転処理を実行して表示用画像データを表示部に出力することにより、電子機器を回転させるだけの容易な操作でありながら、表示画像を任意の方向に任意の回転量で回転表示させることができる。また、撮像対象を撮像可能な撮像部を備えて電子機器を構成したことにより、撮像した表示画像を外部装置に対して回転表示させることができる。
【００３６】
さらに、本発明に係る電子機器によれば、電子機器側制御部が回転検出部によって出力された検出信号に基づき、電子機器の回転方向および回転量に応じた画像回転処理を画像データに対して実行して表示用画像データを生成することにより、画像処理機能を有していない画像表示装置に対しても電子機器を回転させるだけの容易な操作で表示画像を回転表示させることできる。
【図面の簡単な説明】
【図１】本発明の実施の形態に係る画像表示システム１の構成を示すブロック図である。
【図２】画像表示システム１を構成する画像表示装置２およびディジタルカメラ３の正面図である。
【図３】表示画像Ｇｄ２を表示させている状態の画像表示装置２、および確認画像Ｇｉ２を表示させている状態のディジタルカメラ３の正面図である。
【図４】表示画像Ｇｄ３を表示させている状態の画像表示装置２、および確認画像Ｇｉ２を表示させている状態のディジタルカメラ３の正面図である。
【図５】表示画像Ｇｄ４を表示させている状態の画像表示装置２、および確認画像Ｇｉ３を表示させている状態のディジタルカメラ３の正面図である。
【図６】表示画像Ｇｄ５を表示させている状態の画像表示装置２、および確認画像Ｇｉ３を表示させている状態のディジタルカメラ３の正面図である。
【符号の説明】
１  画像表示システム
２  画像表示装置
３  ディジタルカメラ
１１，２６  通信部
１２  ＲＡＭ
１４，２４  表示部
１６  表示制御部
２１  撮像部
２２  ＲＯＭ
２７  回転検出部
２８  制御部
Ｄｄ  表示用画像データ
Ｄｐ  画像データ
Ｇｄ１〜Ｇｄ５  表示画像
Ｇｉ１〜Ｇｉ３  確認画像
Ｓ３  制御信号
Ｓ５  回転検出信号
【図１】
2004163816.tif 000003
【図２】
2004163816.tif 000004
【図３】
2004163816.tif 000005
【図４】
2004163816.tif 000006
【図５】
2004163816.tif 000007
【図６】
2004163816.tif 000008